(57)【要約】【課題】  多チャンネル多重カラー測定のための光検出装置及びそれを採用した多チャンネル試料分析器を提供する。【解決手段】  光検出器１０と、少なくとも二つのカラーフィルタがディスク状に互いに結合されたフィルタホイール１２と、複数の光をフィルタホイール１２に入射させるための複数の光チャンネル１７と、フィルタホイール１２を通過した複数の光をそれぞれ光検出器１０に順次に反射させるための複数のミラーが装着されたミラー部２０と、を備え、ミラー部２０は、フィルタホイール１２と共に回転することを特徴とする光検出装置である。【選択図】            図３
2006078481.tif 000002
【特許請求の範囲】
【請求項１】
光検出器と、
少なくとも二つのカラーフィルタがディスク状に互いに結合されたフィルタホイールと、
複数の光を前記フィルタホイールに入射させるための複数の光チャンネルと、
前記フィルタホイールを通過した複数の光をそれぞれ前記光検出器に順次に反射させるための複数のミラーが装着されたミラー部と、を備え、
前記ミラー部は、前記フィルタホイールと共に回転することを特徴とする多チャンネル多重カラー測定のための光検出装置。
【請求項２】
前記複数の光チャンネルは、前記フィルタホイールの回転中心と光検出器とを連結する線上で、フィルタホイールの直径方向に沿って前記フィルタホイールの上方にそれぞれ一列に配置されることを特徴とする請求項１に記載の多チャンネル多重カラー測定のための光検出装置。
【請求項３】
前記光チャンネルの高さは、前記光検出器から遠くなるほど低くなることを特徴とする請求項２に記載の多チャンネル多重カラー測定のための光検出装置。
【請求項４】
前記複数の光チャンネルのうち一部は、試料から放出された光を前記フィルタホイールに入射させるためのものであり、前記複数の光チャンネルのうち一つは、前記フィルタホイールの１回転を知らせるためのマーク光を放出することを特徴とする請求項２に記載の多チャンネル多重カラー測定のための光検出装置。
【請求項５】
前記ミラー部に装着された複数のミラーは、前記光チャンネルから出射された光を前記光検出器に反射させるために、前記複数の光チャンネルのうち何れか一つとそれぞれ対応し、それぞれ対応する光チャンネルと同じ半径位置に配置されていることを特徴とする請求項１に記載の多チャンネル多重カラー測定のための光検出装置。
【請求項６】
前記ミラー部に装着された複数のミラーは、ミラー部上の方位角の位置が異なって配置されることによって、ミラー部の回転時、前記複数の光チャンネルから出射された光を一つずつ順次に光検出器に向かって反射させることを特徴とする請求項５に記載の多チャンネル多重カラー測定のための光検出装置。
【請求項７】
前記ミラー部に装着された複数のミラーは、所定の方位角方向に沿って行きつつ順次にミラー部の内側に設置されることを特徴とする請求項６に記載の多チャンネル多重カラー測定のための光検出装置。
【請求項８】
前記複数の光チャンネルとそれぞれ対応する複数のミラーは、前記少なくとも二つのカラーフィルタと対向するミラー部の領域ごとに反復して設置されることを特徴とする請求項６に記載の多チャンネル多重カラー測定のための光検出装置。
【請求項９】
前記複数の光チャンネルのうち一つは、前記フィルタホイールの１回転を知らせるためのマーク光を放出するものであり、前記マーク光を放出する光チャンネルに対応するミラーは、ミラー部に一つしか設置されていないことを特徴とする請求項８に記載の多チャンネル多重カラー測定のための光検出装置。
【請求項１０】
前記フィルタホイール及びミラー部を回転させるための駆動装置をさらに備えることを特徴とする請求項１に記載の多チャンネル多重カラー測定のための光検出装置。
【請求項１１】
複数の試料にそれぞれ光を照射するための光源部、複数の試料から放出された光を検出するための光検出部及び前記複数の試料から放出された光を受光して前記光検出部に伝達するための光伝送部を備える多チャンネル試料分析器であって、
前記光検出部は、
光検出器と、
少なくとも二つのカラーフィルタがディスク状に互いに結合されたフィルタホイールと、
前記光伝送部から伝送された複数の光を前記フィルタホイールに入射させるための複数の光チャンネルと、
前記フィルタホイールを通過した複数の光をそれぞれ前記光検出器に順次に反射させるための複数のミラー部と、を備え、
前記複数のミラー部は、前記フィルタホイールと共に同じ速度で回転することを特徴とする多チャンネル試料分析器。
【請求項１２】
前記光伝送部は、試料から放出された光を受光する受光部及び受光部から受光された光を前記光検出部に伝達するための光ファイバを含むことを特徴とする請求項１１に記載の多チャンネル試料分析器。
【請求項１３】
前記多チャンネル試料分析器は、前記光源部から放出された光を試料に進め、試料から放出された光を前記光伝送部に進める二色ミラーと、前記複数の試料を固定するための試料ホルダーと、前記フィルタホイール及びミラー部を回転させるための駆動装置と、をさらに備えることを特徴とする請求項１１に記載の多チャンネル試料分析器。
【請求項１４】
前記複数の光チャンネルは、前記フィルタホイールの回転中心と光検出器とを連結する線上で、フィルタホイールの直径方向に沿って前記フィルタホイールの上方にそれぞれ一列に配置されることを特徴とする請求項１１に記載の多チャンネル試料分析器。
【請求項１５】
前記光チャンネルの高さは、前記光検出器から遠くなるほど低くなることを特徴とする請求項１４に記載の多チャンネル試料分析器。
【請求項１６】
前記ミラー部に装着された複数のミラーは、前記光チャンネルから出射された光を前記光検出器に反射させるために前記複数の光チャンネルのうち何れか一つとそれぞれ対応し、それぞれ対応する光チャンネルと同じ半径位置に配置されていることを特徴とする請求項１１に記載の多チャンネル試料分析器。
【請求項１７】
前記ミラー部に装着された複数のミラーは、ミラー部上の方位角位置が異なって配置されることによって、ミラー部の回転時、前記複数の光チャンネルから出射された光を一つずつ順次に光検出器に向かって反射させることを特徴とする請求項１６に記載の多チャンネル試料分析器。
【請求項１８】
前記複数の光チャンネルとそれぞれ対応する複数のミラーは、前記少なくとも二つのカラーフィルタと対向するミラー部の領域ごとに反復して設置されることを特徴とする請求項１７に記載の多チャンネル試料分析器。
【請求項１９】
前記複数の光チャンネルのうち一つは、前記フィルタホイールの１回転を知らせるためのマーク光を放出するものであり、前記マーク光を放出する光チャンネルに対応するミラーは、ミラー部に一つしか設置されていないことを特徴とする請求項１８に記載の多チャンネル試料分析器。
【発明の詳細な説明】
【技術分野】
【０００１】
本発明は、多チャンネル多重カラー測定のための光検出装置及びそれを採用した多チャンネル試料分析器に係り、さらに詳細には、一つの光検出素子を使用して多チャンネル試料を高速で検出しつつ、色々な波長に対して測定可能な光検出装置及びそれを採用した多チャンネル試料分析器に関する。
【背景技術】
【０００２】
試料に特定波長の光を照射した後、試料から放出される光のスペクトルを検出して試料の成分を分析する方法は、公知である。例えば、ＤＮＡのそれぞれの塩基を反応波長の異なる蛍光染料で染色した後、前記蛍光物質から放出される波長の強度を分析することによって、ＤＮＡの塩基序列を決定できる。
【０００３】
図１は、一般的な蛍光分析装置の原理を説明するための図面である。図１に示したように、一般的な蛍光分析装置１００は、試料１３０に光を照射するための光学部１１０と試料１３０から放出された光を検出するための検出部１２０とに大別される。光学部１１０は、通常、光源１１２、二色ミラー１１４、対物レンズ１１５及び試料ホルダー１１７で構成される。また、検出部１２０は、例えば、光増倍管（Ｐｈｏｔｏ  Ｍｕｌｔｉｐｌｉｅｒ  Ｔｕｂｅ：ＰＭＴ）のような光検出器１２５及び特定波長の光のみを通過させるフィルタ１２１で構成される。光源１１２としては、ハロゲンランプ、ＬＥＤ（Ｌｉｇｈｔ  Ｅｍｉｔｔｉｎｇ  Ｄｉｏｄｅ）またはレーザを多様に使用できる。光源１１２から放出された光は、二色ミラー１１４によって反射されて試料ホルダー１１７上の試料１３０に入射する。試料１３０によって放出された光は、二色ミラー１１４を通過して検出部１２０に入射する。検出部１２０に入射した光は、フィルタ１２１を通過して特定波長のみを有し、光検出器１２５は、前記特定波長の光の強度を検出する。このとき、前記フィルタ１２１や光源１１２の波長特性を変化させつつ、試料から放出される波長の強度を分析すれば、試料の成分が詳細に分かる。
【０００４】
最近には、試料分析の効率性を高め、高速で試料を測定するために、多チャンネル試料分析装置が開発されている。幾つかの試料を一度に分析できる多チャンネル試料分析装置は、大きく２種類があるが、一つは、幾つかの光検出器を利用して複数の試料を同時に測定する装置であり、他の一つは、一つの光検出器のみを利用して順次に複数の試料を測定する装置である。
【０００５】
幾つかの光検出器を利用して複数の試料を同時に測定する装置には、試料数だけ用意された個々の光検出器を使用して、一つの試料から放出された光を一つの光検出器が測定する装置（Ｃｅｐｈｅｉｄ  Ｓｍａｒｔ  Ｃｙｃｌｅｒ（登録商標））と、大面積の光を色々な試料に一度に照射した後、試料から放出された光を一つの大面積のＣＣＤ（Ｃｈａｒｇｅ  Ｃｏｕｐｌｅｄ  Ｄｅｖｉｃｅ）で測定する装置（ＡＢＩ  Ｐｒｏｉｓｍ  ７０００（登録商標）、ＢｉｏＲａｄ  ｉＣｙｃｌｅｒ（登録商標））とがある。しかし、試料数と同じ数の個々の光検出器を使用する場合、それぞれの光検出器の前には、分光の必要な波長帯域をカバーするフィルタが位置し、これに対応して検出器も多チャンネル測定可能に構成せねばならないので、サンプル数に比べて、過度に多くの光検出器が消耗されるという短所がある。ＣＣＤを利用する場合には、一つのフィルタホイールのみを使用しても良いが、蛍光分析で要求される精度を有する大面積ＣＣＤが非常に高コストの部品であるため、やはり多チャンネル試料分析装置の製造コストが上昇して、小型分析装置には不適である。このとき、色々な波長を利用して多チャンネル分析を行うために、図２に示したように、ＣＣＤの前に回転するフィルタホイールを配置することが通常である。しかし、ＣＣＤの測定解像度と関連したフレームレート（秒当たりにＣＣＤが読み出す画面の数）の制限のためにフィルタホイールの速度を向上させるのにも一定の限界があって、幾つかの波長を高速で測定するのには依然として制限がある。
【０００６】
また、一つの光検出器のみを利用して順次に色々な試料を測定する装置は、通常、試料ホルダー上に複数の試料を載せて、前記試料上をスキャニングしつつ試料を測定する。しかし、同様に、一つの試料に対して色々な波長を分光測定するためには、フィルタホイールも回転せねばならないので、実際測定時間は、試料に対する位置スキャニング時間とフィルタホイール回転時間とが乗算されたものであるので、測定所要時間が長いという短所がある。
【０００７】
したがって、一つの光検出器及びフィルタホイールのみを使用して、複数の試料を高速で色々な波長に対して測定できる新たな検出部が要求される。
【発明の開示】
【発明が解決しようとする課題】
【０００８】
本発明が解決しようとする課題は、前述した従来の問題点を改善するためのものであって、一つの光検出素子を使用して多チャンネル試料を高速で色々な波長に対して測定可能な光検出装置及びそれを採用した多チャンネル試料分析器を提供することである。
【０００９】
本発明が解決しようとする他の目的は、小型化が可能であり、かつ製造コストが低い多チャンネル多重カラー測定のための光検出装置及びそれを採用した多チャンネル試料分析器を提供することである。
【課題を解決するための手段】
【００１０】
本発明の一類型による光検出装置は、光検出器と、少なくとも二つのカラーフィルタがディスク状に互いに結合されたフィルタホイールと、複数の光を前記フィルタホイールに入射させるための複数の光チャンネルと、前記フィルタホイールを通過した複数の光をそれぞれ前記光検出器に順次に反射させるための複数のミラーが装着されたミラー部と、を備え、前記ミラー部は、前記フィルタホイールと共に回転することを特徴とする。
【００１１】
このとき、前記複数の光チャンネルは、前記フィルタホイールの回転中心と光検出器とを連結する線上で、フィルタホイールの直径方向に沿って前記フィルタホイールの上方にそれぞれ一列に配置されており、前記光チャンネルの高さは、前記光検出器から遠くなるほど低くなることを特徴とする。
【００１２】
また、前記ミラー部に装着された複数のミラーは、前記光チャンネルから出射された光を前記光検出器に反射させるために、前記複数の光チャンネルのうち何れか一つとそれぞれ対応し、それぞれ対応する光チャンネルと同じ半径位置に配置される。そして、前記ミラー部に装着された複数のミラーは、ミラー部上の方位角位置が異なって配置されることによって、ミラー部の回転時、前記複数の光チャンネルから出射された光を一つずつ順次に光検出器に向かって反射させることを特徴とする。
【００１３】
一方、本発明の他の類型によれば、複数の試料にそれぞれ光を照射するための光源部、複数の試料から放出された光を検出するための光検出部、及び前記複数の試料から放出された光を受光して前記光検出部に伝達するための光伝送部を備える多チャンネル試料分析器において、前記光検出部は、光検出器と、少なくとも二つのカラーフィルタがディスク状に互いに結合されたフィルタホイールと、複数の光を前記フィルタホイールに入射させるための複数の光チャンネルと、前記フィルタホイールを通過した複数の光をそれぞれ前記光検出器に順次に反射させるための複数のミラーが装着されたミラー部と、を備え、前記ミラー部は、前記フィルタホイールと共に回転することを特徴とする。
【００１４】
ここで、前記光伝送部は、試料から放出された光を受光する受光部、及び受光部から受光された光を前記光検出部に伝達するための光ファイバを含む。
【００１５】
また、前記多チャンネル試料分析器は、前記光源部から放出された光を試料に進め、試料から放出された光を前記光伝送部に進める二色ミラーと、前記複数の試料を固定するための試料ホルダーと、前記フィルタホイール及びミラー部を回転させるための駆動装置と、をさらに備えることを特徴とする。
【発明の効果】
【００１６】
本発明によれば、一つの光検出素子とフィルタホイールとを利用して、高速に複数の光信号を順次に検出することが可能である。また、光検出装置の構成が簡単であるため、装置の小型化が可能であり、低コストで製造できる。
【００１７】
また、本発明によれば、フィルタホイールの数によって測定可能な波長の数を増加させることができ、検出できる光信号の数をミラーセクターの角度及び数によって調節できる。
【発明を実施するための最良の形態】
【００１８】
以下、添付した図面を参照して、本発明の一実施形態による多チャンネル多重カラー測定のための光検出装置及びそれを採用した多チャンネル試料分析器の構成及び動作について詳細に説明する。
【００１９】
図３は、本発明による光検出装置を概略的に示す斜視図である。図３に示したように、本発明による光検出装置１０は、例えば、ＰＭＴのような光検出器１８、複数のカラーフィルタ１２ａ〜１２ｄがディスク状に互いに結合されたフィルタホイール１２、複数の光を前記フィルタホイール１２に入射させるための複数の光チャンネル１７，１９、及び複数の光チャンネル１７，１９から出射された光をそれぞれ前記光検出器１８に順次に反射させるための複数のミラー２１〜２５が装着されたミラー部２０を備える。そして、本発明による光検出装置１０は、前記フィルタホイール１２とミラー部２０とを同じ速度で共に回転させるための、例えば、スピンドルモータ１５をさらに備えうる。ここで、光チャンネル１７ａ〜１７ｄは、試料から放出された光をフィルタホイール１２に入射させるためのものであり、光チャンネル１９は、フィルタホイール１２の１回転を知らせるためのマーク光を入射させるためのものである。したがって、光チャンネル１９は、例えば、別途のレーザダイオード（ＬＤ：Ｌａｓｅｒ  Ｄｉｏｄｅ）でありうる。図３に示したように、フィルタホイール１２の上部に配置された前記複数の光チャンネル１７，１９は、フィルタホイール１２の回転中心と光検出器１８とを連結する線上で、フィルタホイール１２の直径方向に沿ってそれぞれ一列に配置されている。一方、図３には、フィルタホイール１２が４つのカラーフィルタ１２ａ〜１２ｄで構成されている場合を示しているが、これは例示的なものであり、カラーフィルタの数には制限がない。
【００２０】
図４は、本発明による光検出装置１０を概略的に示す断面図である。図４に示したように、光検出器１８は、フィルタホイール１２及びミラー部２０の外周面の付近に位置し、ミラー部２０から反射された光を検出する。ミラー部２０には、複数のミラー２１〜２５が前記複数の光チャンネル１７，１９とそれぞれ対向するように設置されている。したがって、光チャンネル１７ａから出射された光は、ミラー２１によって反射されて光検出器１８に進む。また、光チャンネル１７ｂから出射された光は、ミラー２２によって反射されて光検出器１８に進む。かかる方式で、最も内側の光チャンネル１９から出射された光は、最も内側のミラー２５によって反射されて光検出器１８に進む。
【００２１】
このとき、前記複数の光チャンネル１７，１９から出射された光は、光路の長さを何れも同一にするために、内側に行くほど光チャンネル１７，１９の長さが短縮される。図５は、これを説明するための図面である。図５に示したように、光検出器１８が入射する光の強度を正確に測定するためには、光検出器１８の検出面全体に均等に光が入射することが良い。このために、それぞれの光チャンネルに入射する光は、適切にフォーカシングされねばならない。また、全ての光チャンネルから出射する光が光検出器１８の検出面に同一にフォーカシングされるためには、光検出器１８と光チャンネル１７，１９との間の光路の長さが一定でなければならない。したがって、光検出器１８から最も近いミラー２１と対向する光チャンネル１７ａの場合、光チャンネル１７，１９のうち、長さが最も長い。すなわち、光チャンネル１７ａとミラー２１との間の光路の長さを最も長くする。かかる方式で、図５に示したように、光検出器１８とミラーとの間の距離が遠くなるほど、ミラーと対向する光チャンネルの長さを短縮させる。そして、光チャンネル１７の入射部には、光を収束するためのレンズがそれぞれ設置される。
【００２２】
一方、ミラー部２０上の複数のミラー２１〜２５が光チャンネル１７，１９と同様にフィルタホイール１２の直径方向に沿って一列に配置されている場合、ミラー部２０の内側にあるミラーから反射された光は、外側のミラーによって遮断されるという問題が発生する。また、半透過性材料を使用して、複数のミラー２１〜２５を形成する場合にも、一つの光検出器１８に複数の光チャンネルから出射された光が同時に一度に入射するため、光検出器１８が正確に測定できない。図６は、本発明による光検出装置１０で、前述した問題を防止するための複数のミラー２１〜２５の配置を示す平面図である。図６で、“×”で表示したものは、ミラー部２０上の複数のミラーの位置を表す。また、“○”で表示したものは、光チャンネル１７，１９の位置を表す。
【００２３】
図６に示したように、ミラー部２０上の複数のミラー２１〜２５は、方位角方向に一定の間隔で互いに離隔されて配置されており、方位角方向に沿って行きつつ、順次にミラー部２０の内側に設置される。すなわち、前記複数のミラー２１〜２５は、それぞれ対応する光チャンネル１７，１９と同じ半径位置にありつつ、ミラー部２０上の方位角位置が異なって配置される。したがって、ミラー部２０が回転すれば、それぞれのミラー２１〜２５は、対応する光チャンネル１７，１９から出射された光をそれぞれ光検出器１８に順次に反射させることができる。
【００２４】
このとき、試料から放出された光をフィルタホイール１２に入射させるための複数の光チャンネル１７ａ〜１７ｄとそれぞれ対応するミラー２１〜２４は、複数のカラーフィルタ領域ごとに反復して設置される。例えば、図６に示したように、第１カラーフィルタ１２ａの領域内に光チャンネル１７ａ〜１７ｄと対応する第１ミラーセット２１ａ〜２４ａが設置されており、第２カラーフィルタ１２ｂの領域内にも前記光チャンネル１７ａ〜１７ｄと対応する第２ミラーセット２１ｂ〜２４ｂが設置されている。同様に、第３カラーフィルタ１２ｃの領域及び第４カラーフィルタ１２ｄの領域内にも、それぞれ光チャンネル１７ａ〜１７ｄと対応する第３ミラーセット２１ｃ〜２４ｃ及び第４ミラーセット２１ｄ〜２４ｄが設置される。すなわち、一つのミラー部２０内で、一つの光チャンネルに対応するミラーの数は、フィルタホイール１２内のカラーフィルタの数と同じである。一方、フィルタホイール１２の１回転を知らせるためのマーク光を入射させる光チャンネル１９と対応するミラー２５は、ミラー部２０内で一つだけ存在している。
【００２５】
このような構造の光検出装置１０の動作は、次の通りである。まず、スピンドルモータ１５のような駆動装置によって、フィルタホイール１２とミラー部２０とが反時計回りに回転し始める。このとき、前記フィルタホイール１２及びミラー部２０の回転速度は同じである。そして、試料から放出された光が第１ないし第４光チャンネル１７ａ〜１７ｄを通じて前記フィルタホイール１２に入射し、同時にフィルタホイール１２の１回転を知らせるためのマーク光が第５光チャンネル１９を通じて前記フィルタホイール１２に入射する。前記フィルタホイール１２及びミラー部２０の回転によって、第５光チャンネル１９のマーク光がミラー２５によって反射されて光検出器１８に入射する。マーク光を受光した光検出器１８は、新たなチャンネル信号が開始されると認識する。その後、第１カラーフィルタ１２ａを通過した第４光チャンネル１７ｄの光がミラー２４ａによって反射されて光検出器１８に入射される。次いで、第１カラーフィルタ１２ａを通過した第３光チャンネル１７ｃの光がミラー２３ａによって反射されて光検出器１８に入射する。次いで、第１カラーフィルタ１２ａを通過した第２光チャンネル１７ｂの光と第１光チャンネル１７ａの光とが、それぞれミラー２２ａ及びミラー２１ａによって順次に反射されて光検出器１８に入射する。前述した実施形態では、マーク光を出射する光チャンネル１９が最も内側に配置されていると説明したが、他の方式で光チャンネル１７，１９を配置することもできる。また、フィルタホイール１２とミラー部２０とも時計回り方向に回転しても良い。
【００２６】
次いで、フィルタホイール１２とミラー部２０とが反時計回り方向に回転すれば、第２カラーフィルタ１２ｂを通過した第４光チャンネル１７ｄの光がミラー２４ｂによって反射されて光検出器１８に入射される。同様に、前記第２カラーフィルタ１２ｂを通過した第３ないし第１光チャンネル１７ｃ〜１７ａの光が、それぞれミラー２３ｂ〜２１ｂによって反射されて光検出器１８に順次に入射する。このような方式で、第３カラーフィルタ１２ｃと第４カラーフィルタ１２ｄとを通過した光チャンネル１７ａ〜１７ｄの光も、それぞれミラー２１ｃ〜２４ｃとミラー２１ｄ〜２４ｄとによって順次に反射されて光検出器１８に入射する。
【００２７】
フィルタホイール１２とミラー部２０とが１回転すれば、再び第５光チャンネル１９のマーク光がミラー２５によって反射されて光検出器１８に入射する。これにより、マーク光を受光した光検出器１８は、新たなチャンネル信号が開始されると認識する。同時に、光チャンネル１７ａ〜１７ｄも、他の試料から放出された光をフィルタホイール１２に入射させる。そして、前述した動作を反復する。
【００２８】
以上の説明を通じて分かるように、本発明による光検出装置１０は、ただ一つの光検出器１８のみを使用しつつ、多チャンネルの試料を高速で色々な波長に対して測定できる。また、本発明による光検出装置１０は、構造が非常に単純であるため、装置を小型化することができる。例えば、図３に例示されたような光検出器で全体半径を約２５ｍｍほどに構成できる。以上の説明では、４つの光チャンネルを使用している場合について説明しているが、これは例示的なものであり、それ以上の光チャンネルを使用することも可能である。その場合、ミラー部２０のミラーの数も共に増加させねばならない。
【００２９】
一方、図７は、本発明による光検出装置１０を採用した多チャンネル試料分析器を示す図である。図７に示したように、本発明による多チャンネル試料分析器３０は、複数の試料５０にそれぞれ光を照射するための光源部４１、複数の試料４１から放出された光を検出するための光検出部１０及び前記複数の試料５０から放出された光を受光して前記光検出部１０に伝達するための光伝送部（受光部６０、光ファイバ６１）を備える。また、前記多チャンネル試料分析器３０は、複数の試料５０を固定するための試料ホルダー４３を含む。
【００３０】
光源部４１は、従来の技術で既に説明したように、色々な方式で構成できる。例えば、光源部４１は、複数の光源を備え、複数の試料５０に個別的に光を照射することもできる。また、大面積の光を複数の試料５０に一度に照射することもあり、試料５０または光を回転させつつ、高速で試料５０をスキャニングすることもある。試料５０は、例えば、反応波長が異なる色々な蛍光染料で染色される。光が照射されれば、それぞれの蛍光物質で異なる波長及び強度の光が放出される。このように放出された光は、例えば、二色ミラー４２によって反射されて受光部６０によって受光される。ここで、受光部６０は、例えば、光ファイバアダプタでもありうる。受光部６０によって受光された光は、光ファイバ６１を通じて光検出装置１０の光チャンネル１７に伝達される。その後、前述したように、フィルタホイール１２とミラー部２０とを回転させつつ、試料５０から放出された光の波長及び強度を測定して試料５０を分析する。
【００３１】
図７では、受光部６０と光ファイバ６１とを利用して、試料５０から放出された光を光検出装置１０に伝達する構成を示したが、試料５０から放出された光が直接光チャンネル１７に入射するように構成することもある。その場合、光チャンネル１７は、例えば、単に光を収斂させるための屈折レンズで構成される。
【００３２】
以上、本発明による光検出装置を利用した多チャンネル蛍光分析装置について説明した。しかし、本発明による光検出装置は、蛍光分析装置だけでなく、色々な形態の多チャンネル分析装置のための光検出部として利用されることが十分に可能である。
【産業上の利用可能性】
【００３３】
本発明は、試料分析に関連した技術分野に適用可能である。
【図面の簡単な説明】
【００３４】
【図１】一般的な蛍光分析装置の原理を説明するための図面である。
【図２】フィルタホイールを使用する従来の多重カラー測定のための光検出装置を示す図面である。
【図３】本発明による光検出装置を概略的に示す斜視図である。
【図４】本発明による光検出装置を概略的に示す断面図である。
【図５】本発明による光検出装置の原理を説明するための図面である。
【図６】本発明による光検出装置を概略的に示す平面図である。
【図７】本発明による光検出装置を採用した多チャンネル試料分析器を例示的に示す図面である。
【符号の説明】
【００３５】
１０…光検出装置、
１２…フィルタホイール、
１２ａ，１２ｂ，１２ｃ，１２ｄ…カラーフィルタ、
１７（１７ａ，１７ｂ，１７ｃ，１７ｄ），１９…光チャンネル、
１８…光検出器、
２０…ミラー部。
【図１】
2006078481.tif 000003
【図２】
2006078481.tif 000004
【図３】
2006078481.tif 000005
【図４】
2006078481.tif 000006
【図５】
2006078481.tif 000007
【図６】
2006078481.tif 000008
【図７】
2006078481.tif 000009